(57)【要約】【課題】簡単な構成により吊りボルトに照明器具を正確かつ容易に行う。【解決手段】横枠材９と縦枠材１０とによって四角形に組み立てられている照明器具本体１と、照明器具本体の底部に間隔を隔てて移動可能に取り付けてあって、吊りボルト用の取付け孔７ａを開けてある対の取付け板７と、各取付け板を案内する案内手段Ｇとを具備し、案内手段Ｇが上記底部の支持段部１０ｃ１と、取付け板の両端部に設けてある案内部７ｂとからなり、支持段部１０ｃ１は照明器具本体の背面側開口部１ｂの開口縁に対向位置関係に形成されていると共に、スライド溝を有しており、案内部７ｂは上記スライド溝内に差し込まれている。【選択図】        図１
2004227992.tif 000002
【特許請求の範囲】
【請求項１】
照明器具本体と、
上記照明器具本体の底部に移動可能に取り付けてあり、吊りボルト用の取付け孔を開けてある取付け板と、
上記取付け板を案内する案内手段と
を具備していることを特徴とする照明器具。
【請求項２】
案内手段は上記照明器具本体側の支持部と、上記取付け板側の案内部とからなり、上記案内部が上記支持部に沿って移動可能であることを特徴とする請求項１記載の照明器具。
【請求項３】
案内手段は上記照明器具本体側の支持部と、上記取付け板側の案内部とからなり、上記支持部は上記照明器具本体の底部に形成されている背面側開口部の開口縁に対向位置関係に形成されている支持段部であり、上記案内部は上記取付け板の両側部に設けられていると共に、支持段部に嵌合されているスライド溝を有し、上記支持部に沿って移動可能であることを特徴とする請求項１記載の照明器具。
【請求項４】
案内手段は上記照明器具本体側の支持部と、上記取付け板側の案内部とからなり、上記支持部は上記照明器具本体の底部に形成されている背面側開口部の開口縁に対向位置関係に形成されていると共に、スライド溝を有しており、上記案内部は上記取付け板の両端部に配置されかつ上記スライド溝内に差し込まれ、上記支持部に沿って移動可能であることを特徴とする請求項１記載の照明器具。
【請求項５】
取付け板は、照明器具本体の長さ方向に間隔を隔てて複数枚が配置されていることを特徴とする請求項１乃至請求項４のいずれかに記載の照明器具。
【請求項６】
取付け板は、照明器具本体から取外し可能であることを特徴とする請求項１乃至請求項５記載のいずれかに記載の照明器具。
【発明の詳細な説明】
【０００１】
【発明の属する技術分野】
本発明は、例えば天井埋込み型照明器具などの照明器具に関するものである。
【０００２】
【従来の技術】
一般に、例えば天井埋込み型照明器具は、底部側（背面部側）に取付け孔を有する本体と、この本体内に配置してある反射板とを備えている。上記照明器具を床スラブ等から垂下している吊りボルトに取り付けるには、この吊りボルトを上記取付け孔に差し入れてナットで固定するものである。２本の吊りボルトで照明器具を支持する場合、吊りボルトのピッチと取付け孔のピッチとが合わないことがあり、このような場合には、現場にて本体の底部に取付け孔を開けなければならない不都合があった。
この課題を解決するために、特開平６−７６６２０号公報記載の照明器具では底部に複数の取付け孔を予め開けておく技術的手段が提案されている。
【０００３】
【発明が解決しようとする課題】
複数の取付け孔を設けている照明器具においても、必ずしも吊りボルトの設置位置に本体側の取付け孔が対応すると限らず、結局正確な位置で吊りボルトに連結するために、現場で取付け孔を開けているのが実情であった。
本発明の目的は、簡単な構成により吊りボルトに対する照明器具の取付けを正確かつ容易に行えるようすることにある。
【０００４】
【課題を解決するための手段】
本発明の第１の特徴は、照明器具本体と、上記照明器具本体の底部に移動可能に取り付けてあり、吊りボルト用の取付け孔を開けてある取付け板と、上記取付け板を案内する案内手段とを具備していることにある。
本発明の第２の特徴は、第１の特徴を備えていると共に、上記案内手段が上記照明器具本体側の支持部と、上記取付け板側の案内部とからなり、上記案内部が上記支持部に沿って移動可能であることにある。
本発明の第３の特徴は、第１の特徴を備えていると共に、上記案内手段が上記照明器具本体側の支持部と、上記取付け板側の案内部とからなり、上記支持部は上記照明器具本体の底部に形成されている背面側開口部の開口縁に対向位置関係に形成されている支持段部であり、上記案内部は上記取付け板の両側部に設けられていると共に、支持段部に嵌合されているスライド溝を有し、上記支持部に沿って移動可能であることにある。
本発明の第４の特徴は、第１の特徴を備えていると共に、上記案内手段が上記照明器具本体側の支持部と、上記取付け板側の案内部とからなり、上記支持部は上記照明器具本体の底部に形成されている背面側開口部の開口縁に対向位置関係に形成されていると共に、スライド溝を有しており、上記案内部は上記取付け板の両端部に配置されかつ上記スライド溝内に差し込まれ、上記支持部に沿って移動可能であることにある。
本発明の第５の特徴は、第１乃至第４のいずれかの特徴を備えていると共に、上記取付け板が照明器具本体の長さ方向に間隔を隔てて複数枚が配置されていることにある。
本発明の第６の特徴は、第１乃至第５のいずれかの特徴を備えていると共に、取付け板が照明器具本体から取外し可能であることにある。
【０００５】
【作用】
照明器具本体の取付け板を吊りボルトの設置位置まで移動させて、取付け孔の位置を調整することにより、常に吊りボルトに対する取付け板の最適な位置を確保することを可能とする。
【０００６】
【発明の実施の形態】
図面を参照して本発明の実施の形態を説明する。
図１〜図３に示す本発明に係る照明器具は、照明器具本体１、コーナー部材２、反射板（中央反射板３、側面反射板４）、背板５，６、取付け板７及び棒状の蛍光灯８を具備している。
照明器具本体１は対の横枠材９，９と対の縦枠材１０，１０とを組み合わせて正面側開口部１ａ及び背面側開口部１ｂを有する四角形の枠に形成されているものである。各横枠材９及び各縦枠材１０はいずれもアルミ押出し部材からなり、長さを除いて互いに同一構成である。図示の例では横枠材９の長さは縦枠材１０のそれよりも短い。各横枠材９及び各縦枠材１０は、図４〜図６に示すように側面部９ａ，１０ａ、張出し部９ｂ，１０ｂ及び背面部９ｃ，１０ｃからなる断面ほぼクランク形状に成形されている。側面部９ａ，１０ａを挟んで照明器具本体１の正面側開口部１ａ側（図４下面側、図６左面側）に張出し部９ｂ，１０ｂが、その反対側に背面部９ｃ，１０ｃが接続されている。各側面部９ａ，１０ａは照明器具本体１の側壁を形成し、内側に板支持溝９ａ１，１０ａ１が形成され、全ての板支持溝が照明器具本体の内周全周に連続されている。張出し部９ｂ，１０ｂは外側に溝形に折り曲げられ、照明器具本体１の開口縁を形成している。背面部９ｃ，１０ｃは照明器具本体１の底部を形成しており、照明器具本体１の背面側開口部１ｂの中心に向けて突出している端部が支持段部９ｃ１，１０ｃ１となっている。
図３、図７及び図８に示すように、照明器具本体１の隅部における横枠材９及び縦枠材１０の突き合わせ端部は、いずれも４５°の角度で切断された切断面９ｄ，１０ｄとなっていると共に、最先端部が切り落とされた切り欠き９ｅ，１０ｅとなっている。横枠材９の突き合わせ端部の切断面９ｄと縦枠材１０の突き合わせ端部の切断面１０ｄとが互いに対向している。照明器具本体１の各隅部には切り欠き９ｅ，１０ｅの存在によって切り欠き開口部１１が形成されている。
【０００７】
コーナー部材２は、図１、図７〜図１０に示すように、結合手段（図示の例では連結ピン１２）と共に、照明器具本体１の各隅部における横枠材９及び縦枠材１０の突き合わせ端部間を連結している。コーナー部材２は、照明器具本体１の各隅部の背面側（図９上面側）に配置されている。各コーナー部材２は嵌合突部２ａと、この嵌合突部から直交する方向に伸びている連結部２ｂ，２ｂとからなる平面Ｌ形のアルミ部材を使用している。嵌合突部２ａは切り欠き開口部１１に嵌合され、図２及び図８に示すように、照明器具本体１の各隅部の正面からの外観の納まりを良くすることに役立っている。各連結部２ｂは各横枠材９及び各縦枠材１０の突き合わせ端部間に渡され、アルミ部材からなる連結ピン１２によって突き合わせ端部間が接続されている。各連結ピン１２は照明器具本体１の各隅部における横枠材９及び縦枠材１０の突き合わせ端部のピン孔９ｂ１，１０ｂ１及び連結部２ｂのピン孔２ｂ１に挿入してから、頭部及び先端部から押圧力をかけて変形させて、上記連結部と、横枠材９及び縦枠材１０の突き合わせ端部とを一体化する。
【０００８】
図１〜図５に示すように、反射板は中央部に位置している中央反射板３と、この中央反射板を挟んで位置している側面反射板４，４とからなり、照明器具本体１内に配置されている。中央反射板３は照明器具本体１の開口側に向けて突出されたＶ字形に折り曲げられたアルミ部材によって形成されている。中央反射板３には、その長さ方向の両端部側にかつ頂部を挟んで対の掛止め孔３ａ，３ａが開けられている。中央反射板３は掛止め孔３ａ，３ａを通じて掛止め保持具１３によって掛止め状態で保持されている（図４）。掛止め保持具１３は図４及び図５に示すように、背板５，５に固着されている。掛止め保持具１３は鳩尾状のばね板で構成されている。掛止め保持具１３の照明器具本体１の開口側の端部は外側に折り曲げられているフック１３ａ，１３ａを有している。両フック１３ａは中央反射板３の掛止め孔３ａに取外し可能に掛け止められている。
各側面反射板４は、への字形に折り曲げられたアルミ部材によって形成されている。図４に示すように、各側面反射板４の幅方向の外側は照明器具本体１の開口側に向けて傾斜され、片側端部は各縦枠材１０の板支持溝１０ａ１に所定のばね性をもって係合されている。各側面反射板４の長さ方向の両端部は横枠材９にビス止めされている。各側面反射板４の幅方向の内側端部は水平に伸びており、縦枠材１０の支持段部１０ｃ１との間に隙間１４（図４）が開けられている。中央反射板３の幅方向の両端部は各側面反射板４の幅方向の端部と重ねられており、中央反射板は各側面反射板４を跨いて配置されている。
【０００９】
図１〜図５に示すように、アルミ部材からなる背板５及び背板６は照明器具本体１の底部側（図４上側）にかつ、背板５は照明器具本体の長さ方向の両端側に、背板６は両背板５の中間にそれぞれ配置されている。両背板５はいずれもその外周三辺が横枠材９及び縦枠材１０における背面部９ｃ，１０ｃの支持段部に９ｃ１，１０ｃ１に載せられ、また背板６はその両端部が縦枠材１０における背面部１０ｃの支持段部１０ｃ１に載せられ、いずれもピン止めされている。背板５及び背板６は照明器具本体１（横枠材９及び縦枠材１０）の底部側を結合する固定板である。また両背板５の正面（前面）には、上述したように掛止め保持具１３を固定してあり、これらの掛止め保持具を介して中央反射板３を支持している。また背板６は正面（前面）にはインバータ１５を取り付けてあり、このインバータが蛍光灯８と電気的に接続されている。
【００１０】
図１、図３及び図１１〜図１２に示すように、取付け板７は照明器具本体１の底部側（図１２上側）にかつ、背板５と背板６との間にしかも背板６を挟んで図１及び図１１矢印方向に移動可能にかつ取外し可能にそれぞれ配置されている。各取付け板７は長方形状のアルミ板材その他板材からなり、中央部に吊りボルト用の取付け孔７ａを開けてある。各取付け板７は、図１１左右方向の両端部に案内部７ｂを設け、各案内部内にスライド溝７ｃを形成している。図１１及び図１２に示すように、取付け板７の両端部は隙間１４に差し込まれ、スライド溝７ｃ内に縦枠材１０の支持部である支持段部１０ｃ１が差し込まれている。縦枠材１０の支持段部１０ｃ１は背面側開口部１ｂの開口縁を挟んで対向的に配置されている。
このため、各取付け板７は、背面側開口部１ｂを横断する状態で支持段部１０ｃ１と案内部７ｂを案内手段Ｇとして図１及び図１１上下方向に移動可能となり、吊りボルト１７の配置位置に対応して吊りボルト用の取付け孔７ａを対向する位置まで、すなわち最適な位置まで調整することができる。
取付け板７を照明器具本体１の底部に取り付けるには、図１２鎖線の位置から一側端部のスライド溝７ｃの側方の開口から支持段部１０ｃ１を差し込むようにして、案内部７ｂとスライド溝７ｃが互いに噛合う状態となったら、他方の端部について同様の操作で案内部７ｂとスライド溝７ｃを互いに噛合うようにする。
取付け板７を外すには上記操作と逆の操作をする。
取付け板７の取付け取外しを容易にするために、図１１に示すように案内部７ｂの先端角部を円弧状にしておくことが良い。
【００１１】
蛍光灯８は横枠材９の内側に取り付けられているソケット１６（図２）に取外し可能に取り付けてある。蛍光灯８として直径の小さいもの、例えば１６ｍｍ程度の小径のものを用いれば、軽量化や省資源に寄与する。
【００１２】
本照明器具は、取付け板７及び吊りボルト１７（図１及び図４）によって天井などに吊下げられ保持されるものである。吊下げる際には、予め吊下げられている吊りボルト１７の真下に両取付け板７の取付け孔７ａが位置するように、取付け板７を図１及び図１１の上下方向に移動させて、位置を調整する。調整後、ナットを用いて吊りボルトと取付け板７とを連結する。
【００１３】
図１に示す照明器具において、横枠材９と縦枠材１０とを組み合わせている照明器具本体１、中央反射板３及び側面反射板４、背板５，６及び取付け板７の材質は適宜のものが選択されるが、図示する例のようにアルミ部材を用いることにより、廃棄後の再利用が容易になるから廃棄物削減に寄与し、その上、コーナー部材２も同様の素材を使用すれば上記効果が一層図られる。
そして、アルミ部材からなる横枠材９及び縦枠材１０の突き合わせ端部に切り欠き開口部１１を設けて、この切り欠き開口部１１にコーナー部材２の嵌合突部２ａを嵌め込むことにより、突き合わせ端部に生ずる合わせ面の隙間の課題を解消でき、照明器具本体１の隅部の外観が良くなる。
さらに、長さを除いて同一構成である横枠材９と縦枠材１０とを組み合わせて照明器具本体１を形成でき、この照明器具本体の隅部にコーナー部材２を配置し、中央反射板３を掛止め保持具１３で支持し、側面反射板４の片側端部を縦枠材１０の板支持溝１０ａ１に支持しているので、本照明器具の構造が単純化される。このために本照明器具の組立て分解が容易となる。
【００１４】
横枠材９及び縦枠材１０の突き合わせ端部における各切断面９ｄ，１０ｄは例えば４５°その他所定角度斜めに切断されている。図３に示すように４５°に設定し、さらに、横枠材９及び縦枠材１０を等しい長さに設定すれば、製造組立てが極めて容易となる。
図示する例では、結合手段として連結ピン１２を用いているが、連結ピンには限定されない。例えばコーナー部材２の各連結部２ｂの上面に凹部を形成しておくと共に、張出し部９ｂ，１０ｂの立ち上がり部上端を延伸して側面部９ａ，１０ａ側に水平に折り曲げた突片を設けておき、接続時にこの突片と上記凹部を重合するようにして上下方向から押圧するようにしてもよい。
【００１５】
案内手段の他の実施形態を図１３に示す。
図示する案内手段Ｇ１において、照明器具本体側の縦枠材１０では支持部として支持段部に代えてスライド溝１０ｃ２１を有する支持部１０ｃ２としている。取付け板７側では案内部を両端部で構成しそれぞれを案内端部７ｂ１とし、両案内端部を図示の例では段差を設けて薄肉に形成している。
取付け板７は、案内端部７ｂ１が支持部１０ｃ２のスライド溝１０ｃ２１内に移動可能に差し入れられ、取付け板の両端部が各支持部に支持されている。
【００１６】
照明器具本体１の形状は図示する箱形に限られず、例えば長さ方向の両側が開口された溝形であるなど適宜である。また照明器具本体１の隅部の構造を図１に示すようにコーナー部材２を配置したものに限定されない。照明器具本体１を図示する構成の横枠材９及び縦枠材１０で組み合わせたものに限られない。
【００１７】
【発明の効果】
本発明によれば、照明器具本体の取付け板を案内手段を通じて移動可能に取り付けているから、吊りボルトに対して取付け孔の位置を正確に調整することができ、現場で照明器具本体に取付け孔を開ける手間が省け、簡単な構成によって照明器具の取付け作業が正確かつ容易に行える。
【図面の簡単な説明】
【図１】本発明の実施の形態に係る照明器具を示す背面図である。
【図２】本発明の実施の形態に係る照明器具を示す正面図である。
【図３】本発明の実施の形態に係る照明器具を分解した状態を示す正面図である。
【図４】図１のＩＶ−ＩＶ線拡大断面図である。
【図５】図４における分解図である。
【図６】図１のＶＩ−ＶＩ線拡大断面図であって、照明器具本体のみを実線で示している図である。
【図７】本発明の実施の形態に係る照明器具の一端側を示す拡大背面図であって、１つの隅部におけるコーナー部材を外している状態を示す図である。
【図８】本発明の実施の形態に係る照明器具の一端側を示す拡大正面図であって、１つの隅部におけるコーナー部材を外している状態を示す図である。
【図９】図１のＩＸ−ＩＸ線拡大断面図である。
【図１０】図１のＸ−Ｘ線拡大断面図である。
【図１１】取付け板の取付け状態を示す一部切欠拡大背面図である。
【図１２】図１１のＸＩＩ−ＸＩＩ線拡大端面図である。
【図１３】案内手段の他の実施の形態を示す拡大端面図である。
【符号の説明】
１                  照明器具本体
１ｂ                背面側開口部
２                  コーナー部材
３                  中央反射板（反射板）
４                  側面反射板（反射板）
５，６              背板
７                  取付け板
７ａ                取付け孔
７ｂ                案内部
７ｂ１              案内端部（案内部）
７ｃ                スライド溝
８                  蛍光灯
９                  横枠材
１０                縦枠材
９ａ，１０ａ        側面部
９ｂ，１０ｂ        張出し部
９ｃ，１０ｃ        背面部
１０ｃ１            支持段部（支持部）
１０ｃ２            支持部
１０ｃ２１          スライド溝
１７                吊りボルト
Ｇ，Ｇ１            案内手段
【図１】
2004227992.tif 000003
【図２】
2004227992.tif 000004
【図３】
2004227992.tif 000005
【図４】
2004227992.tif 000006
【図５】
2004227992.tif 000007
【図６】
2004227992.tif 000008
【図７】
2004227992.tif 000009
【図８】
2004227992.tif 000010
【図９】
2004227992.tif 000011
【図１０】
2004227992.tif 000012
【図１１】
2004227992.tif 000013
【図１２】
2004227992.tif 000014
【図１３】
2004227992.tif 000015